(57)【要約】【課題】カラオケ利用されていない無人環境にてカメラ機能と通信機能を防犯に活用した防犯システムを提供する。【解決手段】ユーザインタフェースと、カメラと、防犯連絡先記憶手段とを備え、電話回線を介してホスト装置とデータ通信するカメラ付き通信カラオケ装置に、ユーザインタフェースによるモード設定に対応して、ユーザインタフェースの入力に応答してカラオケ利用者を撮影し、撮影された映像をカラオケモニタに表示させるカラオケ利用者撮影モードと、カメラの映像出力に基づいて周辺の明るさ変動を分析し、変動が大きい場合に異常通知処理を行う異常察知処理と、防犯連絡先記憶手段に記憶されている電話番号に向けて発呼し、着呼側が応答したならば、マイクロホンの採音信号を着呼側に送話するカラオケ装置とする異常通知処理とを行う防犯モードとを実行可能な制御手段を備える。【選択図】      図６
2005215209.tif 000002
【特許請求の範囲】
【請求項１】
ユーザインタフェースと、カメラと、防犯連絡先記憶手段と、制御手段を備え、電話回線を介してホスト装置とデータ通信するカメラ付き通信カラオケ装置であって、
制御手段は、ユーザインタフェースによるモード設定に対応して、カラオケ利用者撮影モードと防犯モードとを実行可能であり、
カラオケ利用者撮影モードは、ユーザインタフェースの入力に応答してカラオケ利用者を撮影し、撮影された映像をカラオケモニタに表示させ、
防犯モードは、異常察知処理と、異常通知処理とを可能とし、
異常察知処理は、カメラの映像出力に基づいて周辺の明るさ変動を分析し、変動が大きい場合に異常通知処理を行い、
異常通知処理は、防犯連絡先記憶手段に記憶されている電話番号に向けて発呼し、着呼側が応答したならば、マイクロホンの採音信号を着呼側に送話する
カメラ付き通信カラオケ装置。
【請求項２】
異常通知処理は、着呼側が応答したならば、着呼側からの受話音声をスピーカから拡声出力することを特徴とする請求項１に記載のカメラ付き通信カラオケ装置。
【請求項３】
異常通知処理は、着呼側からの所定の指示信号に応答して、着呼側からの受話音声をスピーカから拡声出力することを特徴とする請求項１に記載のカメラ付き通信カラオケ装置。
【請求項４】
異常通知処理は、着呼側からの所定の指示信号に応答して、所定の音楽をスピーカから音響出力することを特徴とする請求項１に記載のカメラ付き通信カラオケ装置。
【発明の詳細な説明】
【技術分野】
【０００１】
この発明は、カラオケ利用者のポートレートを撮影してカラオケ画面などに映し出すカメラ付き通信カラオケ装置の応用技術に関し、とくに、カラオケ利用されていない無人環境にてカメラ機能と通信機能を防犯に活用する技術に関する。
【背景技術】
【０００２】
一般に通信カラオケシステムは、全国に散在する多数の通信カラオケ装置が電話回線を介してカラオケホスト装置に接続されて構成される。通信回線を介して、ホスト装置からは各通信カラオケ装置にカラオケデータを配信したり、各種情報をホスト装置に収集したりしている。
【０００３】
カラオケ事業者は、この通信インフラをさまざまに利用している。たとえば、ホスト装置で全国でのカラオケ利用履歴を集計して、カラオケ利用状況の統計をとっている。また、ホスト装置に会員別の記憶領域を用意して各会員の選曲履歴や採点履歴などの利用履歴を該当の領域に格納しておき、各会員の利用履歴に基づいて、個人別の曲目リストを提示したり、採点ランキングを提示したりする様々な会員サービスを提供している。
【０００４】
また、カラオケ装置本体やカラオケリモコン装置に備えたカメラを用いて利用者を撮影して利用する技術について多数開示されている。例えば特開平１０−２４０２７４号公報には、カラオケ装置に自動追尾カメラを備え、予約した人を撮影し、予約リストを表示する際に予約者の顔もあわせて表示する技術について開示されている。また、特許第３４３２１３２号公報には、ビデオカメラを備えたカラオケリモコン装置を用いて演奏予約した人を撮影してカラオケ装置に転送する技術について開示されている。
【特許文献１】特開平１０−２４０２７４号公報
【特許文献２】特許第３４３２１３２号公報
【発明の開示】
【発明が解決しようとする課題】
【０００５】
カラオケはいつでも気軽に遊べるというイメージどおりに、カラオケ店は深夜まで営業されている場合が多い。しかし、カラオケ店といえども２４時間営業しているところは少ない。多くは世間が寝静まる時間にあわせて閉店される。そのような世間が寝静まる時間帯は窃盗などの犯罪が横行しやすい。
【０００６】
そこで本発明者らは、主に深夜時間帯などの通信カラオケ設備が使用されていない時間帯に、通信インフラを利用して防犯システムとして機能させることができれば、設備が有効に利用できてカラオケ装置を守ることができるうえに、カラオケ店が地域にも貢献できるのでよりいっそう親しまれ有意義だと考えた。
【課題を解決するための手段】
【０００７】
上記の課題に鑑み創作されたこの発明は、つぎの事項（１）〜（６）により特定されるものである。  
（１）ユーザインタフェースと、カメラと、防犯連絡先記憶手段と、制御手段を備え、電話回線を介してホスト装置とデータ通信するカメラ付き通信カラオケ装置であること、
（２）制御手段は、ユーザインタフェースによるモード設定に対応して、カラオケ利用者撮影モードと防犯モードとを実行可能であること、
（３）カラオケ利用者撮影モードは、ユーザインタフェースの入力に応答してカラオケ利用者を撮影し、撮影された映像をカラオケモニタに表示させること、
（４）防犯モードは、異常察知処理と、異常通知処理とを可能とすること、
（５）異常察知処理は、カメラの映像出力に基づいて周辺の明るさ変動を分析し、変動が大きい場合に異常通知処理を行うこと、
（６）異常通知処理は、防犯連絡先記憶手段に記憶されている電話番号に向けて発呼し、着呼側が応答したならば、マイクロホンの採音信号を着呼側に送話すること、
【０００８】
この発明において望ましくは、異常通知処理は、着呼側が応答したならば、着呼側からの受話音声をスピーカから拡声出力する。  
また望ましくは、異常通知処理は、着呼側からの所定の指示信号に応答して、着呼側からの受話音声をスピーカから拡声出力する。  
また望ましくは、異常通知処理は、着呼側からの所定の指示信号に応答して、所定の音楽をスピーカから音響出力する。
【発明の効果】
【０００９】
本発明の通信カラオケ装置によれば、カラオケが利用されていない時間帯にも設備を有効に利用でき、カラオケ店舗を犯罪から守ることができる。また、防犯システムとして地域に貢献することができる。そのため地域の人々により親しまれる存在となり、カラオケ利用機会の増大を期待できる。
【発明を実施するための最良の形態】
【００１０】
＝＝＝ネットワーク構成＝＝＝
図１は、本発明の実施例における通信カラオケ装置を含むネットワーク構成を示している。インターネットを利用したＶＰＮ（Virtual Private Network）７０にカラオケ事業者の各地のカラオケ店舗１００に敷設されたＬＡＮ１１０やホスト装置９０が接続されて広域イントラネットが構築されている。各地のカラオケ店舗１００の各客室１２０には通信カラオケ装置（カラオケ本体装置１０およびそれに付帯する機器）が設置され、カラオケ本体装置１０はＶＰＮ７０を介してホスト装置９０と通信する。
【００１１】
カラオケ本体装置１０には電子目次本と呼ばれる楽曲検索機能を備えた複数の無線操作パネル（カラオケ活用無線端末）３０が付帯している。無線操作パネル３０は赤外線信号によりカラオケ本体装置１０に演奏予約コマンドを送信する。また、この無線操作パネル３０は内蔵２次電池により動作し、その２次電池を充電するための充電架台５０を付帯している。この架台５０はＲＳ２３２Ｃなどの所定規格の通信インタフェースを備え、カラオケ本体装置１０が装備する同規格の通信インタフェースと相互に接続されている。そして、無線操作パネル３０がこの充電架台５０に装着されると、無線操作パネル３０とカラオケ本体装置１０とがこの充電架台５０を介して通信するように構成されている。言い換えると、この実施例の通信カラオケ装置は、カラオケ装置本体１０と無線操作パネル３０および充電架台５０によって構成されている。
【００１２】
なお、無線操作パネル３０とカラオケ本体装置１０との双方向通信については、ＩＥＥＥ８０１．１１ｘ（ｘはａ，ｂ，ｇなど）規格の無線ＬＡＮなどを用いてもよい。もちろん、無線ＬＡＮであれば演奏予約コマンドをＬＡＮ経由で操作対象となるカラオケ本体装置１０に送信することもできる。
【００１３】
＝＝＝通信カラオケ装置の基本的な構成と動作＝＝＝
図２は本実施例のカラオケ本体装置１０の機能ブロック構成であり、図３（Ａ）と（Ｂ）に無線操作パネル３０の外観と機能ブロック構成を示した。カラオケ本体装置１０は、周知の通信カラオケシステムの演奏端末とほぼ同様のハードウェア構成であり、中央制御部１１は、各周辺構成部を制御してカラオケ本体装置１０を統括し、ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲について、曲名やアーティスト名、発表年、歌詞の歌い出し部分などの目次情報も格納されている。そして、中央制御部１１は、各楽曲のカラオケデータ、台本データ、および目次情報を楽曲番号によって識別し、これをカラオケデータベースとして管理している。
【００１４】
ホスト装置９０は、カラオケ本体装置１０に向けて新譜楽曲についてのカラオケデータ、台本データ、目次情報などを適時に配信したり、カラオケ本体装置１０にて随時収拾される稼働ログなどを集信したりする。中央制御部１１は、ネットワークインタフェース２３を介して店舗ＬＡＮ１１０およびＶＰＮ７０に接続し、ホスト装置９０と通信する。そして、ホスト装置９０から送付されたカラオケデータを受け取ってカラオケデータベースの内容を更新したり、カラオケ本体装置１０側にて収集される稼働ログなどの各種情報をホスト装置９０に送信したりする。
【００１５】
一方、無線操作パネル３０は、液晶ディスプレイ（ＬＣＤ）３１とタッチセンサ３２とを積層したタッチパネル３３を主体としたユーザインタフェースを備え、内蔵するフラッシュメモリ３５にはカラオケ本体装置１０に蓄積されているものと同様の目次情報や、タッチパネル３３に表示される各種画像情報などが蓄積されている。リモコン制御部３４は、ＣＰＵ、ＲＡＭ、ＲＯＭ、ビデオＲＡＭなどを含み、タッチパネル３３への入力情報に基づいて各種画像情報や文字情報をビデオＲＡＭにビットマップ展開し、そのビットマップデータに基づいてＬＣＤドライバ３６を駆動してタッチパネル３３に適宜な情報を表示する。また、フラッシュメモリ３５に蓄積されている目次情報を楽曲索引データベースとして管理している。
【００１６】
リモコン制御部３４は、タッチパネル３３を介した利用者との対話を通じて目次情報の断片をクエリーとして受け付け、該当するカラオケ楽曲の目次情報を楽曲索引データベースより取り出して提示する。そして、無線操作パネル３０において、最終的にカラオケ楽曲が１曲に特定され、その楽曲を演奏予約する旨の利用者入力がなされると、リモコン制御部３４は、楽曲番号を含む演奏予約コマンドのコードを生成してこれをＬＥＤドライバ３７に転送する。ＬＥＤドライバ３７は、ＬＥＤ３８を駆動してこのコードを含む赤外線信号を送出させる。
【００１７】
カラオケ本体装置１０の操作制御部１３は、演奏予約コマンドのコードを受光部１５を介して受け取ると、そのコードを中央制御部１１に転送する。中央制御部１１は、そのコマンド中の楽曲番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ１９に転送して伴奏音楽を生成させる。
【００１８】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００１９】
ミキシングアンプ２０は伴奏音楽と、マイクロホン２２に入力された歌唱音声とを混合・増幅してスピーカ２１より音響出力する。映像制御部１７は、復号した動画映像に歌詞画像をスーパーインポーズ処理してディスプレイ１８に表示出力する。
【００２０】
無線操作パネル３０には、デジタルカメラ４４が搭載され、シャッタボタンが筐体の適宜位置に配設されている。このカメラは一般的なデジタルカメラと同様の構成からなる。カメラコントローラが画像処理専用のＤＳＰやＣＰＵを含んで構成され、シャッタボタンなどのユーザインタフェースを介して受け付けた利用者の入力情報に応動してデジタルカメラを統括制御している。被写体の画像は光学系を介してＣＣＤに結像する。ＣＣＤの各受光素子には受光強度に応じた電荷が蓄積され、ＣＣＤドライバはカメラコントローラからの制御を受けて、各受光素子に蓄積した電荷に応じた電気信号を取り出し、これをサンプリングしてデジタルデータに変換する。カメラコントローラはＣＣＤドライバから転送されてきたデータに基づいてＣＣＤの撮影画像をカメラ内部のＲＡＭにビットマップ展開したり、そのビットマップ画像に各種画像処理を施したりする。
【００２１】
利用者はカラオケ利用前や楽曲予約時などの適宜な時期にこのカメラ４４を用いて自身を撮影し、撮影データに基づいて各利用者を識別する標章（個人識別標章）を登録できるように構成されている。カラオケリモコン装置の液晶ディスプレイ３３には登録された利用者の個人識別標章が一覧的に表示される（図４参照）。
【００２２】
＝＝＝カラオケモードと防犯モード＝＝＝
本実施例の無線操作パネル３０では、上述したような基本的な動作を行うカラオケモード（カラオケ利用者撮影モード）と、後述する防犯モードとの２つのモードを切り換え可能に構成されている。図６にデジタルカメラ４４に関わる処理フロー図を示している。（Ａ）は無線操作パネル３０における処理フローを示し、（Ｂ）無線操作パネル３０から通知を受けたカラオケ本体装置１０の処理フローを示している。
【００２３】
カラオケモードにおいては（図６のステップ１）、利用者を参加者として登録する際に（ステップ２）、利用者の操作によりこの利用者を被写体としてデジタルカメラ４４で撮影する（ステップ３）。無線操作パネル３０のトップ画面（図４）において「メンバー追加」ボタン１２１を指示すると、無線操作パネル３０内にこの利用者に対応した参加者フォルダが作成される。また図５に例示したような画面３３の参加者登録手順の説明１３１にしたがって、利用者がフレームを選択したり自身を撮影したりする。無線操作パネル３０では、デジタルカメラ４４の撮影画像（ビットマップ画像）からガイドフレーム（フレーム画像と同じ輪郭線）内の画像を切り取り、フレーム画像の枠内にはめ込む画像処理を行い、この利用者（参加者）用の個人識別標章としてフラッシュメモリ３５に記憶する（ステップ４）。
【００２４】
このようにして登録済みの参加者の個人識別標章は、トップ画面（図４）等に一覧的に表示される。また、参加者が楽曲の演奏予約を行う際に、所定の操作で自分用の個人識別標章を指定すると、予約曲目リストに予約者としてこの個人識別標章が表示されたり、演奏開始前に歌唱者としてこの個人識別標章が表示されたりする。
【００２５】
一方、防犯モードにおいて（ステップ５）、通信カラオケ装置は、窓や出入り口を向くように置かれたデジタルカメラ４４をいわゆる光量センサとして作動させることにより、周辺の異常を察知し（異常察知処理、ステップ６〜８）、あらかじめ登録された所定の防犯連絡先に通知する（異常通知処理、ステップ９〜１４）。
【００２６】
カラオケモードと防犯モードとは、通信カラオケ装置の管理者の指示入力により切り換え可能である。例えば、カラオケ本体装置１０で管理者のみが起動できるサービスマンモードを起動し、サービスマンモード内での所定の操作によりカラオケモードと防犯モードとを切り替えることができるように構成されている。
【００２７】
＝＝＝異常察知処理＝＝＝
防犯モードに設定されている場合において（ステップ５）、無線操作パネル３０のデジタルカメラ４４は、露出を最大にして所定の時間間隔で受光量（周辺の明るさ）をサンプリングしている（ステップ６）。そして受光量の時系列変化を分析することにより、通信カラオケ装置周辺の明るさ変動を監視・分析している（ステップ７）。
【００２８】
カラオケ利用されていない時間帯には、平常時には通信カラオケ装置が設置されている室内は消灯され、夜明けとともに緩やかに明るさを増していく。一方、不審者が侵入した場合には、一時的に照明が点灯されたり、サーチライトで照らされたりして、室内の明るさが急激に変化する。このような明るさの変動を異常と判断するものである。
【００２９】
したがって、本通信カラオケ装置では、無線操作パネル３０で監視している受光量の変動が所定の範囲を超えたときには、何らかの異常が起きていると判断（察知）し（ステップ８）、次に説明する異常通知処理を行う。
【００３０】
なお、監視・分析した受光量変化については、最新の所定時間分を記憶しておくことが望ましい。実際に異常があった場合に、有効な情報となり得るからである。
【００３１】
＝＝＝異常通知処理＝＝＝
異常を察知した本実施例の通信カラオケ装置は、あらかじめ登録された防犯連絡先の電話機１１０に通知する。防犯連絡先としては、管理者が自宅の電話番号や携帯電話番号などをカラオケ本体装置１０の適宜な記憶部にあらかじめ登録しておく。
【００３２】
無線操作パネル３０が異常を察知すると、まずカラオケ本体装置１０に異常を通知するための適宜なコマンドを発してその旨通知する（ステップ９）。無線操作パネル３０から通知を受け取ったカラオケ本体装置１０は、電話回線を通じて防犯連絡先に向けて発呼する（ステップ１０）。管理者が着呼側の電話１１０の受話器を取るなどして応答し通話状態になると（ステップ１１）、カラオケ本体装置１０はマイクロホン２２からカラオケ本体装置１０周辺の音を集音（採音）して音声チャネルを介して着呼側へ送信する（ステップ１２）。こうすることにより、着呼側で応答した管理者の電話機１１０にカラオケ本体装置１０周辺の状況をリアルタイムに伝えることができる。  
もちろん、採音したカラオケ本体装置１０においても、録音しておくことが望ましい。
【００３３】
また、着呼側の電話機１１０からの音声は、音声チャネルを介してカラオケ本体装置１０へ送信され、カラオケ本体装置１０のスピーカ２１に拡声出力される（ステップ１３〜１４）。たとえばカラオケ本体装置１０周辺の音を聞いた管理者が電話機１１０の送話器に向かって警告の言葉を発すると、遠隔地にあるスピーカ２１から拡声して出力されるので、不審者が驚いて退散する効果を期待できる。
【００３４】
この場合に、着呼側の管理者の操作によって所定の指示信号を送信することにより、カラオケ本体装置１０のスピーカ２１への出力を開始するようにしてもよい。こうすると、管理者が通信カラオケ装置からの通知（着呼）とは気づかずに応答した場合に、見当はずれな応答がカラオケ本体装置１０のスピーカ２１に出力されて不審者を驚かすことができずに隙を与えてしまうような事態を防ぐことができる。
【００３５】
また、着呼側の管理者の操作によって所定の指示信号を送信することによって、カラオケ本体装置１０において適宜な音楽を音響出力するようにすることも可能である。このときに出力する音楽をあらかじめ決めておいてもよいし、指示信号に選曲番号を含めて音楽を指定することができるようにしてもよい。これによれば、より効果的に不審者を驚かせたりカラオケ本体装置１０の周辺にいる人に気づかせたりすることができる。
【００３６】
＝＝＝好適な他の実施例＝＝＝
上記実施例において無線操作パネル３０は、デジタルカメラ４４を備えるだけでなく、異常察知処理（ステップ６〜８）を実行する機能を備えた構成としているが、本発明はこれに限るものではない。無線操作パネル３０にはデジタルカメラ４４を備えるのみとし、異常察知処理を実行する機能をカラオケ本体装置１０に備える構成としてもよい。すなわち、カラオケ本体装置１０は、充電架台５０経由で無線操作パネル３０のリモコン制御部３４に対し適宜な間隔で所定のコマンドを発し、デジタルカメラ４４にて受光量のサンプリングを実行させてその受光量のデータを返送させる。カラオケ本体装置１０は、受光量の時系列変化を監視・分析し、急激な明るさの変動により異常を察知すると、上述した異常通知処理（ステップ１０〜１４）を実行する。
【００３７】
さらに望ましい実施例として、次のように構成する。カラオケ本体装置１０が充電架台５０経由で無線操作パネル３０に撮影コマンドを発すると、無線操作パネル３０のリモコン制御部３４がこのコマンドに応答してデジタルカメラ４４による撮影処理を実行する。そして無線操作パネル３０のリモコン制御部３４は、デジタルカメラ４４にて撮影した画像データを充電架台５０経由でカラオケ本体装置１０に転送する。カラオケ本体装置１０は、無線操作パネル３０から転送されてきた画像データをＲＡＭに記憶し、その平均的な明るさ（明度データ）を求め、その明度データをＲＡＭに記憶する。カラオケ本体装置１０は、以上のような明度データのサンプリングを、例えば１分間隔で繰り返し実行し、各回の明度データを順次ＲＡＭに記憶するとともに、明度データの時系列変化を分析する処理を行う。そしてカラオケ本体装置１０は、明度データの時系列変化を所定の異常変化パターンに該当すると判定した場合に、異常通知処理を実行する。
【００３８】
上記実施例においては、カラオケ本体装置１０に付帯する無線操作パネル３０がデジタルカメラ４４を備え、受光部１５や充電架台５０を介してカラオケ本体装置とデータ通信する構成としているが、このような無線操作パネル３０の機能をカラオケ本体装置１０に具備し、一体のハードウェア構成とすることも、もちろん可能である。
【００３９】
また、カラオケモードから防犯モードに切り替えた場合に、所定時間の後に防犯モードが有効になるようにすると便利である。防犯モードに切り替えた直後には、操作した管理者などが室内に残っている場合が多いためである。モード切り替え操作者がその場を去るまでの時間を考慮して防犯モードにするまで一定時間猶予することにより、この操作者の存在に起因した無駄な異常察知処理や異常通知処理を行うことを防止できる。
【００４０】
また、カラオケモードと防犯モードの設定・切り替えについては、管理者の手動に限るものではない。カラオケ本体装置１０や無線操作パネル３０に電源を投入した時のデフォルト設定のモードをカラオケモードとしてもよい。また、カラオケ本体装置１０の周囲が消灯により暗くなった場合など、デジタルカメラ４４の受光量が所定の値以下になると、自動的に防犯モードに切り替えるようしてもよい。さらに、防犯モードに設定されている際に、カラオケ本体装置１０の周囲が夜明けを迎えて緩やかに明るくなった場合など、デジタルカメラ４４の受光量が所定値以上に達すると、自動的にカラオケモードに切り替えるようにしてもよい。このようにすると、モードの切り替えを忘れてしまったり操作を面倒に感じて切り替えなかったりということを防止できるので、カラオケ設備がよりいっそう効率よく利用できる。
【図面の簡単な説明】
【００４１】
【図１】本発明の実施例に係る通信カラオケ装置を含むネットワーク構成図である。
【図２】上記通信カラオケ装置を構成するカラオケ本体装置の機能ブロック図である。
【図３】上記カラオケ本体装置に付帯する無線操作パネルの外観図（Ａ）と機能ブロック図（Ｂ）である。
【図４】上記無線操作パネルに表示されるトップ画面の概略図である。
【図５】上記無線操作パネルに表示される参加者登録開始画面の概略図である。
【図６】上記無線操作パネルに備わるカメラに関わる処理についての、カラオケ活用線端末における処理フロー図（Ａ）および通信カラオケ本体装置における処理のフロー図（Ｂ）である。
【符号の説明】
【００４２】
１０  カラオケ本体装置
１１  中央制御部
２１  スピーカ
２２  マイクロホン
３０  無線操作パネル
３４  リモコン制御部
４４  デジタルカメラ
【図１】
2005215209.tif 000003
【図２】
2005215209.tif 000004
【図３】
2005215209.tif 000005
【図４】
2005215209.tif 000006
【図５】
2005215209.tif 000007
【図６】
2005215209.tif 000008